(57)【要約】【課題】クレジットカードの不正使用を防止できる。【解決手段】磁性体層（７）を有するサインパネル（９）と、  カード会員番号と前記カード会員番号で識別されるカード会員の暗証番号とを記憶する手段と、  前記磁性体層（７）に磁化されている箇所と磁化されていない箇所とで記録されているパターンを読み取って、１０進法の数字列に変換する手段と、  前記１０進法の数字列を、前記カード会員番号及び前記暗証番号とともに、決済端末に送信する手段と、  前記決済端末からパターン消去命令を受信すると、前記パターンを消去する手段と、  ボタン（１０）が押下げられると、前記パターンを消去する手段とを備えることを特徴とするクレジットカード（１）。【選択図】図１
2017061096.tif 000002
【特許請求の範囲】
【請求項１】
磁性体層を有するサインパネルと、
カード会員番号と前記カード会員番号で識別されるカード会員の暗証番号とを記憶する手段と、
前記磁性体層に磁化されている箇所と磁化されていない箇所とで記録されているパターンを読み取って、１０進法の数字列に変換する手段と、
前記１０進法の数字列を、前記カード会員番号及び前記暗証番号とともに、決済端末に送信する手段と、
前記決済端末からパターン消去命令を受信すると、前記パターンを消去する手段と、
ボタンが押下げられると、前記パターンを消去する手段とを備えることを特徴とするクレジットカード。
【請求項２】
磁性体層を有するサインパネルと、
カード会員番号を記憶する手段と、
前記磁性体層に磁化されている箇所と磁化されていない箇所とで記録されているパターンを読み取って、１０進法の数字列に変換する手段と、
前記１０進法の数字列を、前記カード会員番号とともに、決済端末に送信する手段と、
前記決済端末からパターン消去命令を受信すると、前記パターンを消去する手段と、
ボタンが押下げられると、前記パターンを消去する手段とを備えることを特徴とするクレジットカード。
【請求項３】
請求項１記載のクレジットカードが不正に使用されることを防止する方法であって、
前記決済端末で、前記クレジットカードから、前記１０進法の数字列を、前記カード会員番号及び前記暗証番号とともに受信し、前記１０進法の数字列と、前記暗証番号とを照合する本人認証を行い、本人認証に成功した場合のみ、決済を行い、本人認証後、或いは、本人認証に成功した場合は決済後、パターン消去命令を前記クレジットカードに送信して前記パターンを消去するか、
又は、前記ボタンが押下げられて前記パターンを消去することを特徴とするクレジットカード不正使用防止方法。
【請求項４】
請求項２記載のクレジットカードが不正に使用されることを防止する方法であって、
前記決済端末で、前記クレジットカードから、前記１０進法の数字列を、前記カード会員番号とともに受信し、前記１０進法の数字列と、カード会員情報管理サーバから送信してもらった前記カード会員番号で識別されるカード会員の暗証番号とを照合する本人認証を行い、本人認証に成功した場合のみ、決済を行い、本人認証後、或いは、本人認証に成功した場合は決済後、パターン消去命令を前記クレジットカードに送信して前記パターンを消去するか、
又は、前記ボタンが押下げられて前記パターンを消去することを特徴とするクレジットカード不正使用防止方法。
【発明の詳細な説明】
【技術分野】
【０００１】
本発明は、クレジットカード及びクレジットカード不正使用防止方法に関する。
【背景技術】
【０００２】
一般に、店頭において、クレジットカードが提示され、このクレジットカードで決済することが要求されると、このクレジットカードを提示した人が、このクレジットカードを貸与されたカード会員であるかを確認する本人認証を行い、このクレジットカードを提示した人が、このクレジットカードを貸与されたカード会員であることが確認できた場合のみ、このクレジットカードで決済を行う。
【０００３】
一般に、本人認証は、クレジットカード裏面のサインパネル（署名欄）に記入されているサイン（署名）と、利用伝票に記入されたサイン（署名）とを照合することで行われる。
【０００４】
また、一般に、クレジットカードがＩＣチップを搭載しているＩＣカードである場合は、サイン（署名）に代えて、本人認証は、店頭においてクレジットカードで決済するのに用いられる決済端末に入力された暗証番号と、そのＩＣチップのメモリに記憶されている暗証番号とを照合することで行われる。
【０００５】
しかしながら、サイン（署名）は、偽造されて、暗証番号は、決済端末入力時、第三者に流出して、クレジットカードが不正使用される恐れがある。
【０００６】
サイン（署名）の偽造には、例えば、サインパネルが張り替えられて、別のサイン（署名）が記入されるものがあり、これに対処するために、カード基材上にサインパネルを設けてなるサインパネル付きカードにおいて、サインパネル基材の少なくとも一方の面上、或いはサインパネル基材が配置されるカード基材上の一部に不均一に分散された磁性粒子により形成される磁気固有情報を表す磁気データ部を設けてなることを特徴とするサインパネル付きカードが公知である（特許文献１）。
【０００７】
しかしながら、特許文献１のサインパネル付きカードは、暗証番号の第三者への流出を防止するものではない。
【先行技術文献】
【特許文献】
【０００８】
【特許文献１】特開平８−６３５６０号公報
【発明の概要】
【発明が解決しようとする課題】
【０００９】
本発明は、このような事情を考慮してなされたもので、クレジットカードの不正使用を防止できることを課題とする。
【課題を解決するための手段】
【００１０】
本発明において上記課題を解決するために、まず請求項１の発明では、
磁性体層を有するサインパネルと、
カード会員番号と前記カード会員番号で識別されるカード会員の暗証番号とを記憶する手段と、
前記磁性体層に磁化されている箇所と磁化されていない箇所とで記録されているパターンを読み取って、１０進法の数字列に変換する手段と、
前記１０進法の数字列を、前記カード会員番号及び前記暗証番号とともに、決済端末に送信する手段と、
前記決済端末からパターン消去命令を受信すると、前記パターンを消去する手段と、
ボタンが押下げられると、前記パターンを消去する手段とを備えることを特徴とするクレジットカードとしたものである。
【００１１】
また請求項２の発明では、
磁性体層を有するサインパネルと、
カード会員番号を記憶する手段と、
前記磁性体層に磁化されている箇所と磁化されていない箇所とで記録されているパターンを読み取って、１０進法の数字列に変換する手段と、
前記１０進法の数字列を、前記カード会員番号とともに、決済端末に送信する手段と、
前記決済端末からパターン消去命令を受信すると、前記パターンを消去する手段と、
ボタンが押下げられると、前記パターンを消去する手段とを備えることを特徴とするクレジットカードとしたものである。
【００１２】
また請求項３の発明では、
請求項１記載のクレジットカードが不正に使用されることを防止する方法であって、
前記決済端末で、前記クレジットカードから、前記１０進法の数字列を、前記カード会員番号及び前記暗証番号とともに受信し、前記１０進法の数字列と、前記暗証番号とを照合する本人認証を行い、本人認証に成功した場合のみ、決済を行い、本人認証後、或いは、本人認証に成功した場合は決済後、パターン消去命令を前記クレジットカードに送信して前記パターンを消去するか、
又は、前記ボタンが押下げられて前記パターンを消去することを特徴とするクレジットカード不正使用防止方法としたものである。
【００１３】
また請求項４の発明では、
請求項２記載のクレジットカードが不正に使用されることを防止する方法であって、
前記決済端末で、前記クレジットカードから、前記１０進法の数字列を、前記カード会員番号とともに受信し、前記１０進法の数字列と、カード会員情報管理サーバから送信してもらった前記カード会員番号で識別されるカード会員の暗証番号とを照合する本人認証を行い、本人認証に成功した場合のみ、決済を行い、本人認証後、或いは、本人認証に成功した場合は決済後、パターン消去命令を前記クレジットカードに送信して前記パターンを消去するか、
又は、前記ボタンが押下げられて前記パターンを消去することを特徴とするクレジットカード不正使用防止方法としたものである。
【発明の効果】
【００１４】
本発明は、磁気ペンでサインパネルに、カード会員の暗証番号を、１０進法の数字列のパターンで描いて記入すれば、このパターンがサインパネルの磁性体層に磁化されている箇所と磁化されていない箇所とで記録できて、本人認証を行うことができ、本人認証後、或いは、本人認証に成功した場合は決済後、このパターンを消去できるという効果がある。
【００１５】
また、磁気ペンでサインパネルに、カード会員の暗証番号を、１０進法の数字列のパターンで描いて記入して、このパターンがサインパネルの磁性体層に磁化されている箇所と磁化されていない箇所とで記録した後、クレジットカードでの決済を取り止めた場合でも、ボタンを押下げると、このパターンを消去できるという効果がある。
【００１６】
このように、本発明では、磁性体層に磁化されている箇所と磁化されていない箇所とで記録されているパターンは、目に見えず、しかも、本人認証後、或いは、本人認証に成功した場合は決済後、若しくは、ボタンを押下げると、このパターンを消去できるのであるから、カード会員の暗証番号が第三者に流出することがなく、クレジットカードで決済が行えるという効果がある。
【００１７】
従って、本発明は、クレジットカードの不正使用を防止できるという効果がある。
【００１８】
また、請求項１及び３に係る発明は、クレジットカードに暗証番号が記憶されているので、決済端末がネットワークを介してカード会員情報管理サーバに接続できなくても本人認証ができるという効果がある。
【００１９】
また、請求項２及び４に係る発明は、クレジットカードに暗証番号を記憶しなくても本人認証が行えるので、クレジットカードから暗証番号を盗み取られることがないという効果がある。
【図面の簡単な説明】
【００２０】
【図１】本発明のクレジットカードを説明する図であって、（ａ）は本発明のクレジットカードの裏面の平面図、（ｂ）は（ａ）の平面図でＸ−Ｘ線に沿った断面の断面図。
【図２】本発明のクレジットカード本体の一構成例を示す構成図。
【図３】磁性体層に磁化された箇所と磁化されていない箇所とで記録したパターンの一例を示す図。
【図４】イシュアサーバを説明する図。
【図５】カード会員情報テーブルの一例を示す図。
【図６】カード会員が、本発明のクレジットカードで決済しようとして、磁気ペンでサインパネルに暗証番号を記入し、実際に決済を行うか、或いは、決済を取り止めるまでになされる処理の流れの例を示すフローチャート。
【図７】カード会員が、本発明のクレジットカードで決済しようとして、磁気ペンでサインパネルに暗証番号を記入し、実際に決済を行うか、或いは、決済を取り止めるまでになされる処理の流れの他の例を示すフローチャート。
【発明を実施するための形態】
【００２１】
以下に、本発明の一実施形態を説明する。
【００２２】
図１（ａ）に示すように、本発明のクレジットカード１は、クレジットカード本体２と、クレジットカード本体２の裏面に、サインパネル９とを備える。さらに、本発明のクレジットカード１は、図１（ａ）に示すように、ボタン１０を、クレジットカード本体２の裏面に備えるか、又は、クレジットカード本体２の表面に備えるか、或いは、裏面及び表面双方に備える。
【００２３】
サインパネル９は、図１（ｂ）に示すように、クレジットカード本体２の裏面に、磁性体層７が形成されたサインパネル基材４を、磁性体層７形成面を向き合わせて接着剤層５
を介して積層したものである。
【００２４】
サインパネル９の表面は、カード会員のサイン（署名）がなされる署名欄として使用される。それゆえ、サインパネル基材４は万年筆、ボールペン、サインペンなどのインキを吸着固定しやすく、クレジットカード本体２に接着しやすく、さらに、その偽造や改竄が判明しやすい材料が好ましく、例えば紙基材があり、この紙基材は上質紙（王子製紙社製
四六判４５Ｋｇ）を用いることができる。
【００２５】
磁性体層７は、高分子結合剤を含む溶媒中に磁性材料を分散させた磁性インキをサインパネル基材４の片面に塗布したものであり、この磁性材料は、Ｆｅ、Ｎｉ、Ｍｎ、Ｚｎ、Ｃｏ、パーマロイ、センダスト、Ｍｎ−Ｚｎフェライト、Ｎｉ−Ｚｎフェライト、Ｍｎフェライト、Ｚｎフェライト、ＦｅＳ、マグネタイト、γ−酸化鉄、Ｃｏ被着γ−酸化鉄、バリウムフェライト、ストロンチウムフェライト、二酸化クロム等の金属又は合金或いは金属化合物の粉末を使用することができる。
【００２６】
接着剤層５は、サインパネル基材４の磁性体層７形成面に接着剤を塗布して形成した層であり、この接着剤には、熱可塑性樹脂が使用される。
【００２７】
磁気ペン（ペン先に磁石を備える磁気保有型のペン）を用いて、磁気ペンのペン先の磁石を、サインパネル９の表面に接触させて、パターンを描くと、磁性体層７において、ペン先の磁石を接触させたサインパネル９の表面の下の磁性体層７の箇所が磁化され、ペン先の磁石を接触させなかったサインパネル９の表面の下の磁性体層７の箇所が磁化されないままに残って、磁化された箇所と磁化されないままに残った箇所とによって、磁性体層７に、このパターンが記録される。
【００２８】
このため、カード会員の暗証番号を、１０進法の数字列のパターンで描いて記入すれば、図３に示すように、磁性体層７に、磁化されている箇所７１と磁化されていない箇所７０とで、この１０進法の数字列のパターンが記録されるので、サインパネル９は、この暗証番号を記入する暗証番号記入欄としても使用できる。図３では、１０進法の数字列のパターンとして、１２３４が記録されている。
【００２９】
クレジットカード本体２は、接触式又は非接触式のＩＣチップ（図示せず）を搭載した樹脂製の接触式又は非接触式のＩＣカードである。
【００３０】
クレジットカード本体２の構成を、図２に示す。
【００３１】
図２に示すように、クレジットカード本体２は、パターン読取消去装置２０と、通信装置２１と、記憶装置２２と、中央処理装置２３と、ボタン装置２４とを備える。
【００３２】
パターン読取消去装置２０は、磁性体層７に記録されているパターンを読み取り、また、磁性体層７から、このパターンを消去する装置である。
【００３３】
通信装置２１は、本発明のクレジットカード１が決済端末の挿入口に挿入されて決済端末と通信可能になった場合に、決済端末と通信を行う装置である。例えば、クレジットカード本体２に、接触式のＩＣチップが搭載されている場合は、通信装置２１は、クレジットカード表面に露出した接続端子を備える。また例えば、クレジットカード本体２に、非接触式のＩＣチップが搭載されている場合は、通信装置２１は、アンテナを備える。
【００３４】
記憶装置２２は、クレジットカード本体２に搭載されているＩＣチップのメモリで構成され、データ及びプログラムを記憶する装置である。
【００３５】
中央処理装置２３は、クレジットカード本体２に搭載されているＩＣチップのＣＰＵで構成され、記憶装置２２に記憶されているプログラムに従って処理を行う装置である。
【００３６】
ボタン装置２４は、ボタン１０を有し、このボタン１０が押下されると、パターン読取消去装置２０で、サインパネル９の磁性体層７に記録されているパターンを消去する装置である。
【００３７】
記憶装置２２には、少なくとも、カード会員番号と、このカード会員番号で識別されるカード会員の暗証番号とが記憶されている。
【００３８】
また、記憶装置２２には、少なくとも、決済端末の挿入口に挿入されて決済端末４０と通信可能になった本発明のクレジットカード１に、以下の手段を実現するための処理を、中央処理装置２３に実行させるプログラムが記憶されている。
パターン読取消去装置２０で、サインパネル９の磁性体層７に磁化されている箇所と磁化されていない箇所とで記録されているパターンを読み取って、このパターンを１０進法の数字列に変換する変換手段。
この１０進法の数字列を、記憶装置２２に記憶されているカード会員番号及び暗証番号とともに、通信装置２１で、決済端末に送信する送信手段。
決済端末からパターン消去命令を通信装置２１で受信すると、パターン読取消去装置２０で、サインパネル９の磁性体層７に記録されているパターンを消去する消去手段。
【００３９】
カード会員は、本発明のクレジットカード１で決済しようとする場合、その前に、まず、磁気ペンで、サインパネル９に、暗証番号を、１０進法の数字列のパターンで描いて記入して、サインパネル９の磁性体層７に、このパターンを記録させる。
【００４０】
そして、本発明のクレジットカード１を、決済端末の挿入口に挿入すると、本発明のクレジットカード１は、決済端末と通信可能になり、サインパネル９の磁性体層７に記録されているパターンを読み取って１０進法の数字列に変換し、この１０進法の数字列を、記憶装置２２に記憶されているカード会員番号及び暗証番号とともに、決済端末に送信し、決済端末は、これら１０進法の数字列とカード会員番号及び暗証番号を受信すると、この１０進法の数字列と、この暗証番号とを照合する本人認証を行い、本人認証に成功すると決済を行い、また、本人認証後、或いは、本人認証に成功した場合は決済後、パターン消去命令を、本発明のクレジットカード１に送信し、本発明のクレジットカード１は、パターン消去命令を受信すると、サインパネル９の磁性体層７に記録されているパターンを消去する。
【００４１】
しかしながら、カード会員が、磁気ペンで、サインパネル９に、暗証番号を、１０進法の数字列のパターンで描いて記入して、サインパネル９の磁性体層７に、このパターンを記録させた後、本発明のクレジットカード１での決済を取り止めた場合、ボタン１０を押下げると、サインパネル９の磁性体層７から、このパターンが消去される。
【００４２】
磁性体層７に磁化されている箇所と磁化されていない箇所とで記録されているパターンは、目に見えず、しかも、本人認証後、或いは、本人認証に成功した場合は決済後、若しくは、ボタン１０を押下げると、このパターンを消去できるのであるから、カード会員の暗証番号が第三者に流出することがなく、クレジットカードで決済が行える。
【００４３】
また、このパターン消去の後、本発明のクレジットカード１が、紛失されたり、盗まれたりして、第三者に渡って、決済端末の挿入口に挿入されても、本人認証が失敗して決済が行われないので、この第三者が、本発明のクレジットカード１を貸与されたカード会員
になりすまして、決済を行うことが不可能となる。
【００４４】
以下に、カード会員が、本発明のクレジットカード１で決済しようとして、磁気ペンでサインパネル９に暗証番号を記入し、実際に決済を行うか、或いは、決済を取り止めるまでになされる処理の流れの例を、図６のフローチャートに従って説明する。
【００４５】
Ｓ（ＳＴＥＰ）１；
カード会員は、本発明のクレジットカード１で決済をしようとして、本発明のクレジットカード１のサインパネル６の表面に、磁気ペン３０のペン先を接触させて、暗証番号を、１０進法の数字列のパターンで描いて記入する。
【００４６】
Ｓ（ＳＴＥＰ）２；
本発明のクレジットカード１は、このパターンを、サインパネル６の磁性体層７に記録する。
【００４７】
Ｓ（ＳＴＥＰ）３；
カード会員は、実際に、本発明のクレジットカード１で決済を希望するか否かを判断し、
希望しない場合、ＳＴＥＰ４に進み、
希望する場合、ＳＴＥＰ６に進む。
【００４８】
Ｓ（ＳＴＥＰ）４；
カード会員は、本発明のクレジットカード１のボタン１０を押下げる。
【００４９】
Ｓ（ＳＴＥＰ）５；
本発明のクレジットカード１のボタン装置２４は、パターン読取消去装置２０で、サインパネル６の磁性体層７に記録されているパターンを消去する。
【００５０】
Ｓ（ＳＴＥＰ）６；
店員は、カード会員から、本発明のクレジットカード１を受け取って、決済端末４０の挿入口に挿入する。
【００５１】
Ｓ（ＳＴＥＰ）７；
本発明のクレジットカード１の中央処理装置２３は、パターン読取消去装置２０で、サインパネル９の磁性体層７に記録されているパターンを読み取って、このパターンを１０進法の数字列に変換する。
【００５２】
Ｓ（ＳＴＥＰ）８；
本発明のクレジットカード１の中央処理装置２３は、この１０進法の数字列を、記憶装置２２に記憶されているカード会員番号及び暗証番号とともに、通信装置２１で、決済端末に送信する。
【００５３】
Ｓ（ＳＴＥＰ）９；
決済端末は、本発明のクレジットカード１から、１０進法の数字列を、カード会員番号及び暗証番号とともに、受信する。
【００５４】
Ｓ（ＳＴＥＰ）１０；
決済端末は、本発明のクレジットカード１から受信した１０進法の数字列と、同じく本発明のクレジットカード１から受信した暗証番号とを照合する本人認証を行う。
【００５５】
Ｓ（ＳＴＥＰ）１１；
決済端末は、パターン消去命令を本発明のクレジットカードに送信する。
【００５６】
Ｓ（ＳＴＥＰ）１２；
本発明のクレジットカード１の中央処理装置２３は、通信装置２１で、決済端末から、パターン消去命令を受信する。
【００５７】
Ｓ（ＳＴＥＰ）１３；
本発明のクレジットカード１の中央処理装置２３は、パターン読取消去装置２０で、サインパネル９の磁性体層７に記録されているパターンを消去する。
【００５８】
Ｓ（ＳＴＥＰ）１４；
決済端末は、本発明のクレジットカード１から受信した１０進法の数字列と、同じく本発明のクレジットカード１から受信した暗証番号との照合の結果、
双方が不一致の場合、本人認証に失敗したとして、ＳＴＥＰ１５に進み、
双方が一致した場合、本人認証に成功したとして、ＳＴＥＰ１６に進む。
【００５９】
Ｓ（ＳＴＥＰ）１５；
店員は、決済端末から、本発明のクレジットカード１を取り出して、カード会員に、本人認証に失敗したので決済ができないことを告げて、返却する。
【００６０】
Ｓ（ＳＴＥＰ）１７；
決済端末は、決済を行う。
【００６１】
Ｓ（ＳＴＥＰ）１８；
店員は、決済端末から、本発明のクレジットカード１を取り出して、カード会員に、本人認証に成功して決済が完了したことを告げて、返却する。
【００６２】
以上の処理の流れでは、決済端末は、本人認証を行った直後に、パターン消去命令を本発明のクレジットカード１に送信しているが、本人認証に成功した場合は、決済後に、パターン消去命令を本発明のクレジットカード１に送信して、本発明のクレジットカード１の中央処理装置２３に、パターン読取消去装置２０で、サインパネル９の磁性体層７に記録されているパターンを消去させてもよい。
【００６３】
以上で説明した本実施形態では、本発明のクレジットカード１の記憶装置２２に暗証番号を記憶しているが、この暗証番号を、本発明のクレジットカード１の記憶装置２２に記憶する代わりに、イシュアと呼ばれるクレジットカード発行会社が運用するサーバ（以後、イシュアサーバとも呼ぶ）で保管してもよい。
【００６４】
以後、暗証番号を、本発明のクレジットカード１の記憶装置２２に記憶する代わりに、イシュアサーバで保管してする場合について、本発明のクレジットカード１を説明する。
【００６５】
図４に示すように、イシュアサーバ６０は、カード会員情報データベース６１と、カード会員情報管理サーバ６２とを備え、カード会員情報管理サーバ６２は、ネットワーク５０を介して、決済端末４０に接続される。
【００６６】
イシュアサーバ６０は、図４に示してはいないが、カード会員情報データベース６１、カード会員情報管理サーバ６２の他に、信用照会のためのオーソリサーバ、決済のための決済サーバも備えてもよい。
【００６７】
カード会員情報データベース６１は、カード会員情報を、例えば図５に示すような、カード会員情報テーブルに、保存するデータベースである。カード会員情報データベース６１に保存されるカード会員情報には、図５に示すように、少なくとも、カード会員を唯一に識別するカード会員番号と、このカード会員の暗証番号とがある。
【００６８】
カード会員情報管理サーバ６２は、カード会員情報データベース６１に保存するカード会員情報を管理するサーバである。カード会員情報管理サーバ６２は、決済端末４０から、カード会員番号を受信すると、カード会員情報データベース６１から、このカード会員番号で識別されるカード会員の暗証番号を読み出して、決済端末４０に送信する。
【００６９】
本発明のクレジットカード１の記憶装置２２には、少なくとも、決済端末の挿入口に挿入されて決済端末４０と通信可能になった本発明のクレジットカード１に、以下の手段を実現するための処理を、中央処理装置２３に実行させるプログラムが記憶されている。
パターン読取消去装置２０で、サインパネル９の磁性体層７に磁化されている箇所と磁化されていない箇所とで記録されているパターンを読み取って、このパターンを１０進法の数字列に変換する変換手段。
この１０進法の数字列を、記憶装置２２に記憶されているカード会員番号とともに、通信装置２１で、決済端末に送信する送信手段。
決済端末からパターン消去命令を通信装置２１で受信すると、パターン読取消去装置２０で、サインパネル９の磁性体層７に記録されているパターンを消去する消去手段。
【００７０】
カード会員は、本発明のクレジットカード１で決済しようとする場合、その前に、まず、磁気ペンで、サインパネル９に、暗証番号を、１０進法の数字列のパターンで描いて記入して、サインパネル９の磁性体層７に、このパターンを記録させる。
【００７１】
そして、本発明のクレジットカード１を、決済端末４０の挿入口に挿入すると、本発明のクレジットカード１は、決済端末４０と通信可能になり、サインパネル９の磁性体層７に記録されているパターンを読み取って１０進法の数字列に変換し、この１０進法の数字列を、記憶装置２２に記憶されているカード会員番号とともに、決済端末４０に送信し、決済端末４０は、これら１０進法の数字列とカード会員番号とを受信すると、このカード会員番号を、カード会員情報管理サーバ６２に送信して、カード会員情報管理サーバ６２から、このカード会員番号で識別されるカード会員の暗証番号を送信してもらって、この暗証番号を受信し、この１０進法の数字列と、この暗証番号とを照合する本人認証を行い、本人認証に成功すると決済を行い、また、本人認証後、或いは、本人認証に成功した場合は決済後、パターン消去命令を、本発明のクレジットカード１に送信し、本発明のクレジットカード１は、パターン消去命令を受信すると、サインパネル９の磁性体層７に記録されているパターンを消去する。
【００７２】
しかしながら、カード会員が、磁気ペンで、サインパネル９に、暗証番号を、１０進法の数字列のパターンで描いて記入して、サインパネル９の磁性体層７に、このパターンを記録させた後、本発明のクレジットカード１での決済を取り止めた場合、ボタン１０を押下げると、サインパネル９の磁性体層７から、このパターンが消去される。
【００７３】
磁性体層７に磁化されている箇所と磁化されていない箇所とで記録されているパターンは、目に見えず、しかも、本人認証後、或いは、本人認証に成功した場合は決済後、若しくは、ボタン１０を押下げると、このパターンを消去できるのであるから、カード会員の暗証番号が第三者に流出することがなく、クレジットカードで決済が行える。
【００７４】
また、このパターン消去の後、本発明のクレジットカード１が、紛失されたり、盗まれたりして、第三者に渡って、決済端末の挿入口に挿入されても、本人認証が失敗して決済
が行われないので、この第三者が、本発明のクレジットカード１を貸与されたカード会員になりすまして、決済を行うことが不可能となる。
【００７５】
以下に、暗証番号を、本発明のクレジットカード１の記憶装置２２に記憶する代わりに、イシュアサーバで保管する場合に、カード会員が、本発明のクレジットカード１で決済しようとして、磁気ペンでサインパネル９に暗証番号を記入し、実際に決済を行うか、或いは、決済を取り止めるまでになされる処理の流れの例を、図７のフローチャートに従って説明する。
【００７６】
Ｓ（ＳＴＥＰ）１；
カード会員は、本発明のクレジットカード１で決済をしようとして、本発明のクレジットカード１のサインパネル６の表面に、磁気ペン３０のペン先を接触させて、暗証番号を、１０進法の数字列のパターンで描いて記入する。
【００７７】
Ｓ（ＳＴＥＰ）２；
本発明のクレジットカード１は、このパターンを、サインパネル６の磁性体層７に記録する。
【００７８】
Ｓ（ＳＴＥＰ）３；
カード会員は、実際に、本発明のクレジットカード１で決済を希望するか否かを判断し、
希望しない場合、ＳＴＥＰ４に進み、
希望する場合、ＳＴＥＰ６に進む。
【００７９】
Ｓ（ＳＴＥＰ）４；
カード会員は、本発明のクレジットカード１のボタン１０を押下げる。
【００８０】
Ｓ（ＳＴＥＰ）５；
本発明のクレジットカード１のボタン装置２４は、パターン読取消去装置２０で、サインパネル６の磁性体層７に記録されているパターンを消去する。
【００８１】
Ｓ（ＳＴＥＰ）６；
店員は、カード会員から、本発明のクレジットカード１を受け取って、決済端末４０の挿入口に挿入する。
【００８２】
Ｓ（ＳＴＥＰ）７；
本発明のクレジットカード１の中央処理装置２３は、パターン読取消去装置２０で、サインパネル９の磁性体層７に記録されているパターンを読み取って、このパターンを１０進法の数字列に変換する。
【００８３】
Ｓ（ＳＴＥＰ）８；
本発明のクレジットカード１の中央処理装置２３は、この１０進法の数字列を、記憶装置２２に記憶されているカード会員番号とともに、通信装置２１で、決済端末４０に送信する。
【００８４】
Ｓ（ＳＴＥＰ）９；
決済端末４０は、本発明のクレジットカード１から、１０進法の数字列を、カード会員番号とともに、受信する。
【００８５】
Ｓ（ＳＴＥＰ）１０；
決済端末４０は、本発明のクレジットカード１から受信したカード会員番号を、カード会員情報管理サーバ６２に送信して、カード会員情報管理サーバ６２から、このカード会員番号で識別されるカード会員の暗証番号を送信してもらって受信する。
【００８６】
Ｓ（ＳＴＥＰ）１１；
決済端末４０は、本発明のクレジットカード１から受信した１０進法の数字列と、カード会員情報管理サーバ６２から受信した暗証番号とを照合する本人認証を行う。
【００８７】
Ｓ（ＳＴＥＰ）１２；
決済端末４０は、パターン消去命令を本発明のクレジットカード１に送信する。
【００８８】
Ｓ（ＳＴＥＰ）１３；
本発明のクレジットカード１は、通信装置２１で、決済端末４０から、パターン消去命令を受信する。
【００８９】
Ｓ（ＳＴＥＰ）１４；
本発明のクレジットカード１は、パターン読取消去装置２０で、サインパネル９の磁性体層７に記録されているパターンを消去する。
【００９０】
Ｓ（ＳＴＥＰ）１５；
決済端末４０は、本発明のクレジットカード１から受信した１０進法の数字列と、カード会員情報管理サーバ６２から受信した暗証番号との照合の結果、
双方が不一致の場合、本人認証に失敗したとして、ＳＴＥＰ１６に進み、
双方が一致した場合、本人認証に成功したとして、ＳＴＥＰ１７に進む。
【００９１】
Ｓ（ＳＴＥＰ）１６；
店員は、決済端末４０から、本発明のクレジットカード１を取り出して、カード会員に、本人認証に失敗したので決済ができないことを告げて、返却する。
【００９２】
Ｓ（ＳＴＥＰ）１７；
決済端末４０は、決済を行う。
【００９３】
Ｓ（ＳＴＥＰ）１８；
店員は、決済端末４０から、本発明のクレジットカード１を取り出して、カード会員に、本人認証に成功して決済が完了したことを告げて、返却する。
【００９４】
このように、暗証番号を、本発明のクレジットカード１の記憶装置２２に記憶する代わりに、イシュアサーバで保管する場合の処理の流れでも、決済端末４０は、本人認証を行った直後に、パターン消去命令を本発明のクレジットカード１に送信しているが、本人認証に成功した場合は、決済後に、パターン消去命令を本発明のクレジットカード１に送信して、本発明のクレジットカード１の中央処理装置２３に、パターン読取消去装置２０で、サインパネル９の磁性体層７に記録されているパターンを消去させてもよい。
【符号の説明】
【００９５】
１…クレジットカード
２…クレジットカード本体
４…サインパネル基材
５…接着剤層
７…磁性体層
９…サインパネル
１０…ボタン
２０…パターン読取消去装置
２１…通信装置
２２…記憶装置
２３…中央処理装置
２４…ボタン装置
４０…決済端末
５０…ネットワーク
６０…イシュアサーバ
６１…カード会員情報データベース
６２…カード会員情報管理サーバ
７０…磁化されていない箇所
７１…磁化されている箇所
【図１】
2017061096.tif 000003
【図２】
2017061096.tif 000004
【図３】
2017061096.tif 000005
【図４】
2017061096.tif 000006
【図５】
2017061096.tif 000007
【図６】
2017061096.tif 000008
【図７】
2017061096.tif 000009